(57)【要約】傾斜姿勢で旋回する傾斜車両において、フレーム構造体の強度を確保しつつ、さらなる軽量化を図れるような構成を得る。車両１の車体２は、積層された繊維によって樹脂が強化された繊維強化樹脂を含み、車体２の一部を構成するリア構造体２０と、左側面繊維方向荷重変換部材３１と、右側面繊維方向荷重変換部材４１とを有する。左側面繊維方向荷重変換部材３１は、第１左取付部３２及び第２左取付部３３と、左荷重受け部３４と、第１左荷重伝達部３５と、第２左荷重伝達部３６とを有する。右側面繊維方向荷重変換部材４１は、第１右取付部４２及び第２右取付部４３と、右荷重受け部４４と、第１右荷重伝達部４５と、第２右荷重伝達部４６とを有する。
2018174037.tif 000002
【特許請求の範囲】
【請求項１】
傾斜姿勢で旋回する傾斜車両であって、
左方向に旋回する際に左方向に傾斜し、右方向に旋回する際に右方向に傾斜する車体を備え、
前記車体は、
繊維によって樹脂が強化された繊維強化樹脂を含み、前記車体の一部を構成するフレーム構造体と、
前記フレーム構造体の左側面に取り付けられた第１左取付部及び第２左取付部、
前記フレーム構造体の前記繊維強化樹脂に含まれる前記繊維の繊維方向において、前記第１左取付部と前記第２左取付部との間に位置するとともに、車両の左右方向において、前記第１左取付部及び前記第２左取付部よりも左方に位置し、前記車体が停車状態で左方向に傾斜した際に路面と接触して荷重を受ける左荷重受け部、
前記フレーム構造体の前記繊維強化樹脂に含まれる前記繊維の繊維方向において、前記第１左取付部と前記左荷重受け部との間に位置する第１左荷重伝達部、及び、
前記フレーム構造体の前記繊維強化樹脂に含まれる前記繊維の繊維方向において、前記第２左取付部と前記左荷重受け部との間に位置する第２左荷重伝達部、を含み、
前記第１左取付部、前記左荷重受け部及び前記第２左取付部は、前記フレーム構造体の前記繊維強化樹脂に含まれる前記繊維の繊維方向に、前記第１左取付部、前記左荷重受け部及び前記第２左取付部の順に並んでいる、
左側面繊維方向荷重変換部材と、
前記フレーム構造体の右側面に取り付けられた第１右取付部及び第２右取付部、
前記フレーム構造体の前記繊維強化樹脂に含まれる前記繊維の繊維方向において、前記第１右取付部と前記第２右取付部との間に位置するとともに、前記左右方向において、前記第１右取付部及び前記第２右取付部よりも右方に位置し、前記車体が停車状態で右方向に傾斜した際に路面と接触して荷重を受ける右荷重受け部、
前記フレーム構造体の前記繊維強化樹脂に含まれる前記繊維の繊維方向において、前記第１右取付部と前記右荷重受け部との間に位置する第１右荷重伝達部、及び、
前記フレーム構造体の前記繊維強化樹脂に含まれる前記繊維の繊維方向において、前記第２右取付部と前記右荷重受け部との間に位置する第２右荷重伝達部、を含み、
前記第１右取付部、前記右荷重受け部及び前記第２右取付部は、前記フレーム構造体の前記繊維強化樹脂に含まれる前記繊維の繊維方向に、前記第１右取付部、前記右荷重受け部及び前記第２右取付部の順に並んでいる、
右側面繊維方向荷重変換部材と、
を有する、傾斜車両。
【請求項２】
請求項１に記載の傾斜車両において、
前記第１左荷重伝達部は、前記フレーム構造体との間隔が前記左荷重受け部から前記第１左取付部に向かうほど小さくなるとともに、前記フレーム構造体の前記繊維強化樹脂に含まれる前記繊維の前記繊維方向に前記左荷重受け部と重なることなく、前記左荷重受け部から前記第１左取付部に延びていて、
前記第２左荷重伝達部は、前記フレーム構造体との間隔が前記左荷重受け部から前記第２左取付部に向かうほど小さくなるとともに、前記フレーム構造体の前記繊維強化樹脂に含まれる前記繊維の前記繊維方向に前記左荷重受け部と重なることなく、前記左荷重受け部から前記第２左取付部に延びていて、
前記第１右荷重伝達部は、前記フレーム構造体との間隔が前記右荷重受け部から前記第１右取付部に向かうほど小さくなるとともに、前記フレーム構造体の前記繊維強化樹脂に含まれる前記繊維の前記繊維方向に前記右荷重受け部と重なることなく、前記右荷重受け部から前記第１右取付部に延びていて、
前記第２右荷重伝達部は、前記フレーム構造体との間隔が前記右荷重受け部から前記第２右取付部に向かうほど小さくなるとともに、前記フレーム構造体の前記繊維強化樹脂に含まれる前記繊維の前記繊維方向に前記右荷重受け部と重なることなく、前記右荷重受け部から前記第２右取付部に延びている、傾斜車両。
【請求項３】
請求項１または２に記載の傾斜車両において、
前記左側面繊維方向荷重変換部材及び前記右側面繊維方向荷重変換部材は、それぞれ、前記フレーム構造体の外表面に、外方に向かって突出するように前記フレーム構造体に設けられている、傾斜車両。
【請求項４】
請求項１から３のいずれか一つに記載の傾斜車両において、
前記フレーム構造体では、前記繊維強化樹脂内に、複数の繊維シートが、複数積層されている、傾斜車両。
【請求項５】
請求項１から４のいずれか一つに記載の傾斜車両において、
前記左側面繊維方向荷重変換部材は、前記フレーム構造体と、前記左荷重受け部、前記第１左荷重伝達部及び前記第２左荷重伝達部との間に空間が形成されるように、前記フレーム構造体に取り付けられ、
前記右側面繊維方向荷重変換部材は、前記フレーム構造体と、前記右荷重受け部、前記第１右荷重伝達部及び前記第２右荷重伝達部との間に空間が形成されるように、前記フレーム構造体に取り付けられている、傾斜車両。
【請求項６】
請求項１から４のいずれか一つに記載の傾斜車両において、
前記フレーム構造体と、前記左側面繊維方向荷重変換部材の前記左荷重受け部との間には、前記左荷重受け部に入力される荷重を吸収する左荷重吸収部材が配置され、
前記フレーム構造体と、前記右側面繊維方向荷重変換部材の前記右荷重受け部との間には、前記右荷重受け部に入力される荷重を吸収する右荷重吸収部材が配置されている、傾斜車両。
【請求項７】
請求項１から６のいずれか一つに記載の傾斜車両において、
前記左側面繊維方向荷重変換部材及び前記右側面繊維方向荷重変換部材は、それぞれ、繊維によって強化された繊維強化樹脂を含む、傾斜車両。
【請求項８】
請求項７に記載の傾斜車両において、
前記第１左取付部、前記第１左荷重伝達部、前記左荷重受け部、前記第２左荷重伝達部及び前記第２左取付部は、前記第１左取付部、前記第１左荷重伝達部、前記左荷重受け部、前記第２左荷重伝達部、前記第２左取付部の順に、前記左側面繊維方向荷重変換部における前記繊維強化樹脂の繊維方向に並んで設けられ、
前記第１右取付部、前記第１右荷重伝達部、前記右荷重受け部、前記第２右荷重伝達部及び前記第２右取付部は、前記第１右取付部、前記第１右荷重伝達部、前記右荷重受け部、前記第２右荷重伝達部、前記第２右取付部の順に、前記右側面繊維方向荷重変換部における前記繊維強化樹脂の繊維方向に並んで設けられている、傾斜車両。
【請求項９】
請求項１から８のいずれか一つに記載の傾斜車両において、
前記第１左取付部及び前記第２左取付部は、接着剤によって前記フレーム構造体に固定され、
前記第１右取付部及び前記第２右取付部は、接着剤によって前記フレーム構造体に固定されている、傾斜車両。
【発明の詳細な説明】
【技術分野】
【０００１】
本発明は、傾斜姿勢で旋回する傾斜車両に関する。
【背景技術】
【０００２】
傾斜姿勢で旋回する傾斜車両として、例えば、特許文献１に開示されるフレーム構造体を備えた自動二輪車が知られている。前記特許文献１に開示されているフレーム構造体は、カーボン繊維を用いた繊維強化樹脂によって、それぞれ一体形成された上側フレーム及び下側フレームを有する。前記上側フレーム及び前記下側フレームは、該上側フレームに設けられた上側ヘッドパイプと前記下側フレームに設けられた下側ヘッドパイプとが結合されるように、組み合わせられる。【０００３】
前記特許文献１に開示されている構成では、前記フレーム構造体は、カーボン繊維を用いた繊維強化樹脂によって構成されている。これにより、軽量且つ高強度なフレーム構造体が得られる。
【先行技術文献】
【特許文献】
【０００４】
【特許文献１】特開２００７−３０７９４４号公報
【発明の概要】
【発明が解決しようとする課題】
【０００５】
ところで、上述の特許文献１に開示されている自動二輪車のフレーム構造体では、フレーム構造体に金属を用いた場合に比べて車両の軽量化を図れる。しかしながら、フレーム構造体の強度を確保しつつ、さらなる車両の軽量化を図りたいという要求がある。【０００６】
本発明は、傾斜姿勢で旋回する傾斜車両において、フレーム構造体の強度を確保しつつ、さらなる軽量化を図れるような構成を得ることを目的とする。
【課題を解決するための手段】
【０００７】
傾斜姿勢で旋回する傾斜車両において、フレーム構造体の強度を確保しつつ、さらなる軽量化を図るためには、以下のような手法が考えられる。例えば、繊維強化樹脂の特性を利用して、フレーム構造体に、モノコック構造、セミモノコック構造、または、カバー等の他物品との一体形成等の構成を採用することが考えられる。【０００８】
しかしながら、傾斜姿勢で旋回する傾斜車両は、停車状態で左右方向に転倒する特性を有する。前記傾斜車両が停車状態で左右方向に転倒すると、前記傾斜車両の車体が路面から荷重を受ける。したがって、フレーム構造体を、繊維強化樹脂によって構成されたモノコック構造等にすると、前記車体が路面から荷重を受けた際、前記フレーム構造体の繊維強化樹脂における繊維及び樹脂の少なくとも一部の構造が変化する場合がある。【０００９】
さらに、前記傾斜車両が停車状態で左右方向に転倒した際に車体が路面から荷重を受ける位置は、前記傾斜車両のデザインによって、車両ごとに異なる。また、前記車体は、前記傾斜車両の重量及び転倒時における路面との接触位置によって、転倒した際に路面から受ける荷重の大きさが異なる。上述のようにフレーム構造体を繊維強化樹脂によって構成されたモノコック構造等とした場合、傾斜車両が転倒した際の路面との接触によって前記フレーム構造体の繊維強化樹脂における繊維及び樹脂の少なくとも一部の構造が変化する。そのため、前記傾斜車両の重量及び転倒時における路面との接触位置を考慮して、前記傾斜車両のデザイン等を検討する必要がある。よって、傾斜車両の設計は制約を受ける。したがって、繊維強化樹脂によって構成されたフレーム構造体を採用可能な車両は、限られていた。【００１０】
そこで、本発明者は、傾斜姿勢で旋回する傾斜車両において、設計自由度を向上させる手法を検討した。【００１１】
まず、本発明者は、傾斜車両が停車状態で左右方向に転倒した際の車体に対する荷重の入力に着目し、詳細に検討した。傾斜車両は、左右方向に転倒する際、接地しているタイヤを中心に、左方向または右方向に傾く。前記車体が路面に接触した際に、前記車体には、路面との接触部分に荷重が作用する。そのため、本発明者は、車両の構造等から、前記接触部分の位置を特定しやすいことに気がついた。【００１２】
また、傾斜車両は、該傾斜車両が停車状態で左右方向に転倒した際に、バウンドすることが分かった。バウンドの際に前記傾斜車両に生じる振動の加速度は、振動の初期段階では大きいが、最終的には小さくなる。そのため、本発明者は、前記加速度が最も大きい時に車体が受ける荷重を小さくすることが好ましいことに気がついた。【００１３】
そこで、本発明者は、車体が受ける荷重の入力方向について検討した。具体的には、本発明者は、前記フレーム構造体を繊維強化樹脂を含む材料によって構成した場合において、繊維強化樹脂の繊維の積層方向に対する荷重の入力方向を変えて検討した。その結果、前記繊維の積層方向に荷重が入力された場合に、前記繊維強化樹脂を含む材料によって構成された前記フレーム構造体における繊維及び樹脂の少なくとも一方の構造が変化する場合があることが分かった。【００１４】
そのため、本発明者は、前記フレーム構造体を構成する前記繊維強化樹脂の繊維の積層方向に入力される荷重の成分を低減することを検討した。本発明者は、検討の結果、前記フレーム構造体に対して前記繊維の積層方向に入力される荷重の成分を減らすために、前記フレーム構造体に入力される前記荷重を、前記フレーム構造体を構成する前記繊維強化樹脂の繊維方向に変換することを思いついた。すなわち、本発明者は、前記荷重を前記フレーム構造体の前記繊維方向に入力した場合、前記フレーム構造体を構成する前記繊維強化樹脂の前記繊維の引張方向に力が入力されるため、前記フレーム構造体の強度上、有利であることに気付いた。【００１５】
よって、本発明者は、前記フレーム構造体に入力される荷重を、前記フレーム構造体を構成する前記繊維強化樹脂の繊維方向に変換するために、繊維方向荷重変換部材を用いることを思いついた。そして、本発明者は、前記繊維方向荷重変換部材を、前記フレーム構造体とは別の部材によって構成するとともに、前記繊維方向荷重変換部材を、前記フレーム構造体において、前記傾斜車両が停車状態で転倒した際に路面等に接触する部位に取り付けることを思いついた。【００１６】
これにより、前記傾斜車両は、転倒による前記フレーム構造体の前記繊維強化樹脂における構造の変化を別の部材で抑制できるため、モノコック構造等を採用する場合に比べて、設計自由度を向上することができる。すなわち、繊維強化樹脂を含むフレーム構造体において、傾斜車両の設計に制約を受けることなく、前記フレーム構造体の強度を確保することができる。【００１７】
したがって、上述の構成により、フレーム構造体の強度を確保しつつ、繊維強化樹脂を用いることにより、さらなる軽量化を図れるような構成を得ることができる。【００１８】
上述のような検討結果に基づいて、本発明者は、以下のような構成に想到した。【００１９】
本発明の一実施形態に係る傾斜車両は、傾斜姿勢で旋回する傾斜車両である。この傾斜車両は、左方向に旋回する際に左方向に傾斜し、右方向に旋回する際に右方向に傾斜する車体を備える。前記車体は、繊維によって樹脂が強化された繊維強化樹脂を含み、前記車体の一部を構成するフレーム構造体と、前記フレーム構造体の左側面に取り付けられた第１左取付部及び第２左取付部、前記フレーム構造体の前記繊維強化樹脂に含まれる前記繊維の繊維方向において、前記第１左取付部と前記第２左取付部との間に位置するとともに、車両の左右方向において、前記第１左取付部及び前記第２左取付部よりも左方に位置し、前記車体が停車状態で左方向に傾斜した際に路面と接触して荷重を受ける左荷重受け部、前記フレーム構造体の前記繊維強化樹脂に含まれる前記繊維の繊維方向において、前記第１左取付部と前記左荷重受け部との間に位置する第１左荷重伝達部、及び、前記フレーム構造体の前記繊維強化樹脂に含まれる前記繊維の繊維方向において、前記第２左取付部と前記左荷重受け部との間に位置する第２左荷重伝達部、を含み、前記第１左取付部、前記左荷重受け部及び前記第２左取付部は、前記フレーム構造体の前記繊維強化樹脂に含まれる前記繊維の繊維方向に、前記第１左取付部、前記左荷重受け部及び前記第２左取付部の順に並んでいる、左側面繊維方向荷重変換部材と、前記フレーム構造体の右側面に取り付けられた第１右取付部及び第２右取付部、前記フレーム構造体の前記繊維強化樹脂に含まれる前記繊維の繊維方向において、前記第１右取付部と前記第２右取付部との間に位置するとともに、前記左右方向において、前記第１右取付部及び前記第２右取付部よりも右方に位置し、前記車体が停車状態で右方向に傾斜した際に路面と接触して荷重を受ける右荷重受け部、前記フレーム構造体の前記繊維強化樹脂に含まれる前記繊維の繊維方向において、前記第１右取付部と前記右荷重受け部との間に位置する第１右荷重伝達部、及び、前記フレーム構造体の前記繊維強化樹脂に含まれる前記繊維の繊維方向において、前記第２右取付部と前記右荷重受け部との間に位置する第２右荷重伝達部、を含み、前記第１右取付部、前記右荷重受け部及び前記第２右取付部は、前記フレーム構造体の前記繊維強化樹脂に含まれる前記繊維の繊維方向に、前記第１右取付部、前記右荷重受け部及び前記第２右取付部の順に並んでいる、右側面繊維方向荷重変換部材と、を有する。【００２０】
上述のように、フレーム構造体を、繊維によって樹脂が強化された繊維強化樹脂を含む構成とすることで、フレーム構造体の軽量化を図ることができる。よって、傾斜車両の軽量化を図ることができる。【００２１】
ところで、傾斜姿勢で旋回する傾斜車両は、停車状態で左右方向に転倒する場合がある。前記傾斜車両が停車状態で転倒した際に、前記傾斜車両のフレーム構造体は、路面と接触して荷重を受ける。上述のように繊維強化樹脂を含むフレーム構造体は、前記傾斜車両の転倒時に荷重を受けた場合、フレーム構造体の繊維強化樹脂における繊維及び樹脂の少なくとも一部の構造が変化する可能性がある。【００２２】
これに対し、上述の構成のように、フレーム構造体の左側面及び右側面に、それぞれ左側面繊維方向荷重変換部材及び右側面繊維方向荷重変換部材を取り付ける。これにより、前記傾斜車両が停車状態で左右方向に転倒した際に、前記左側面繊維方向荷重変換部材または前記右側面繊維方向荷重変換部材が荷重を受ける。【００２３】
具体的には、前記傾斜車両が停車状態で左方向に転倒した際には、前記左側面繊維方向荷重変換部材が路面等に接触する。この際、前記左側面繊維方向荷重変換部材の左荷重受け部に対して荷重が入力される。前記左側面繊維方向荷重変換部材は、前記荷重を、第１左荷重伝達部及び第２左荷重伝達部を介して、それぞれ第１左取付部および第２左取付部に伝達する。ここで、前記第１左取付部、前記左荷重受け部及び前記第２左取付部は、前記フレーム構造体の前記繊維強化樹脂に含まれる前記繊維の繊維方向に、前記第１左取付部、前記左荷重受け部及び前記第２左取付部の順に並んでいる。【００２４】
よって、前記左側面繊維方向荷重変換部材は、前記左荷重受け部に入力された荷重を、前記繊維方向の荷重に変換する。前記繊維方向に変換された荷重は、前記第１左取付部及び前記第２左取付部を介して、前記フレーム構造体に入力される。このように、前記左側面繊維方向荷重変換部材に入力された荷重は、前記繊維方向の荷重として前記フレーム構造体に入力される。前記荷重は、前記フレーム構造体に対して繊維の引張方向の力として入力される。よって、前記フレーム構造体における繊維及び樹脂の少なくとも一部の構造が変化することを抑制できる。【００２５】
同様に、前記傾斜車両が停車状態で右方向に転倒した際には、前記右側面繊維方向荷重変換部材が路面等に接触する。この際、前記右側面繊維方向荷重変換部材の右荷重受け部に対して荷重が入力される。前記右側面繊維方向荷重変換部材は、前記荷重を、第１右荷重伝達部及び第２右荷重伝達部を介して、それぞれ第１右取付部および第２右取付部に伝達する。ここで、前記第１右取付部、前記右荷重受け部及び前記第２右取付部は、前記フレーム構造体の前記繊維強化樹脂に含まれる前記繊維の繊維方向に、前記第１右取付部、前記右荷重受け部及び前記第２右取付部の順に並んでいる。【００２６】
よって、前記右側面繊維方向荷重変換部材は、前記右荷重受け部に入力された荷重を、前記繊維方向の荷重に変換する。前記繊維方向に変換された荷重は、前記第１右取付部及び前記第２右取付部を介して、前記フレーム構造体に入力される。このように、前記右側面繊維方向荷重変換部材に入力された荷重は、前記繊維方向の荷重として前記フレーム構造体に入力される。前記荷重は、前記フレーム構造体に対して繊維の引張方向の力として入力される。よって、前記フレーム構造体における繊維及び樹脂の少なくとも一部の構造が変化することを抑制できる。【００２７】
しかも、前記左側面繊維方向荷重変換部材及び前記右側面繊維方向荷重変換部材は、前記フレーム構造体とは別の部材であるため、前記傾斜車両の転倒を考慮して前記フレーム構造体を設計する必要がない。よって、前記フレーム構造体の設計自由度を向上させることができる。【００２８】
したがって、上述の構成により、前記フレーム構造体の設計自由度を低下させることなく前記傾斜車両の強度を確保することができる。よって、前記傾斜車両の強度を確保しつつ、該傾斜車両のさらなる軽量化を図ることが可能になる。【００２９】
前記第１左荷重伝達部は、前記フレーム構造体との間隔が前記左荷重受け部から前記第１左取付部に向かうほど小さくなるとともに、前記フレーム構造体の前記繊維強化樹脂に含まれる前記繊維の前記繊維方向に前記左荷重受け部と重なることなく、前記左荷重受け部から前記第１左取付部に延びていてもよい。前記第２左荷重伝達部は、前記フレーム構造体との間隔が前記左荷重受け部から前記第２左取付部に向かうほど小さくなるとともに、前記フレーム構造体の前記繊維強化樹脂に含まれる前記繊維の前記繊維方向に前記左荷重受け部と重なることなく、前記左荷重受け部から前記第２左取付部に延びていてもよい。前記第１右荷重伝達部は、前記フレーム構造体との間隔が前記右荷重受け部から前記第１右取付部に向かうほど小さくなるとともに、前記フレーム構造体の前記繊維強化樹脂に含まれる前記繊維の前記繊維方向に前記右荷重受け部と重なることなく、前記右荷重受け部から前記第１右取付部に延びていてもよい。前記第２右荷重伝達部は、前記フレーム構造体との間隔が前記右荷重受け部から前記第２右取付部に向かうほど小さくなるとともに、前記フレーム構造体の前記繊維強化樹脂に含まれる前記繊維の前記繊維方向に見て前記右荷重受け部と重なることなく、前記右荷重受け部から前記第２右取付部に延びていてもよい。【００３０】
これにより、前記傾斜車両が停車状態で左方向に転倒した際に、前記左側面繊維方向荷重変換部材の前記左荷重受け部に荷重が入力されると、該荷重は、前記第１左荷重伝達部及び前記第２左荷重伝達部によって、前記フレーム構造体に含まれる繊維の繊維方向の荷重に容易に変換される。変換後の荷重は、前記第１左取付部及び前記第２左取付部を介して、前記フレーム構造体に対して前記繊維の引張方向の力として入力される。【００３１】
同様に、前記傾斜車両が停車状態で右方向に転倒した際に、前記右側面繊維方向荷重変換部材の前記右荷重受け部に荷重が入力されると、該荷重は、前記第１右荷重伝達部及び前記第２右荷重伝達部によって、前記フレーム構造体に含まれる繊維の繊維方向の荷重に容易に変換される。変換後の荷重は、前記第１右取付部及び前記第２右取付部を介して、前記フレーム構造体に対して前記繊維の引張方向の力として入力される。【００３２】
よって、上述の構成により、前記左側面繊維方向荷重変換部材または前記右側面繊維方向荷重変換部材に入力された荷重を前記繊維方向の荷重に容易に変換して、該変換後の荷重を前記フレーム構造体に前記繊維の引張方向の荷重として入力できる。したがって、前記フレーム構造体における繊維及び樹脂の少なくとも一部の構造が変化することをより確実に抑制できる。【００３３】
前記左側面繊維方向荷重変換部材及び前記右側面繊維方向荷重変換部材は、それぞれ、前記フレーム構造体の外表面に、外方に向かって突出するように前記フレーム構造体に設けられていてもよい。【００３４】
これにより、前記傾斜車両が停車状態で左方向に転倒した際に、前記フレーム構造体よりも先に左側面繊維方向荷重変換部材が路面と接触する。また、前記傾斜車両が停車状態で右方向に転倒した際に、前記フレーム構造体よりも先に右側面繊維方向荷重変換部材が路面と接触する。【００３５】
よって、前記傾斜車両が左右方向に転倒した際に車体が受ける荷重を、前記左側面繊維方向荷重変換部材または前記右側面繊維方向荷重変換部材によって、前記フレーム構造体の前記繊維の前記繊維方向の荷重に、より確実に変換できる。したがって、前記フレーム構造体における繊維及び樹脂の少なくとも一部の構造が変化することをより確実に抑制できる。【００３６】
前記フレーム構造体では、前記繊維強化樹脂内に、複数の繊維シートが、複数積層されていてもよい。【００３７】
これにより、前記フレーム構造体において、前記繊維の前記繊維方向の強度をより向上できる。よって、前記左側面繊維方向荷重変換部材または前記右側面繊維方向荷重変換部材を介して前記フレーム構造体の前記繊維方向に荷重が入力された場合に、前記フレーム構造体における繊維及び樹脂の少なくとも一部の構造が変化することをより確実に抑制できる。【００３８】
前記左側面繊維方向荷重変換部材は、前記フレーム構造体と、前記左荷重受け部、前記第１左荷重伝達部及び前記第２左荷重伝達部との間に空間が形成されるように、前記フレーム構造体に取り付けられていてもよい。前記右側面繊維方向荷重変換部材は、前記フレーム構造体と、前記右荷重受け部、前記第１右荷重伝達部及び前記第２右荷重伝達部との間に空間が形成されるように、前記フレーム構造体に取り付けられていてもよい。【００３９】
これにより、前記傾斜車両が停車状態で左方向に転倒した際に、前記左側面繊維方向荷重変換部材に対して前記フレーム構造体の前記繊維の前記積層方向に入力された荷重の少なくとも一部は、前記フレーム構造体と、前記左荷重受け部、前記第１左荷重伝達部及び前記第２左荷重伝達部との間に形成された空間によって吸収される。しかも、前記フレーム構造体と前記左側面繊維方向荷重変換部材との間に前記空間を設けることにより、前記左側面繊維方向荷重変換部材に対して前記積層方向に荷重が入力された場合に、前記左側面繊維方向荷重変換部材が容易に変形を生じる。これにより、前記左側面繊維方向荷重変換部材によって、前記積層方向に入力された荷重を、前記フレーム構造体の前記繊維の前記繊維方向に容易に変換することができる。【００４０】
同様に、前記傾斜車両が停車状態で右方向に転倒した際に、前記右側面繊維方向荷重変換部材に対して前記フレーム構造体の前記繊維の前記積層方向に入力された荷重の少なくとも一部は、前記フレーム構造体と、前記右荷重受け部、前記第１右荷重伝達部及び前記第２右荷重伝達部との間に形成された空間によって吸収される。しかも、前記フレーム構造体と前記右側面繊維方向荷重変換部材との間に前記空間を設けることにより、前記右側面繊維方向荷重変換部材に対して前記積層方向に荷重が入力された場合に、前記右側面繊維方向荷重変換部材が容易に変形を生じる。これにより、前記右側面繊維方向荷重変換部材によって、前記積層方向に入力された荷重を、前記フレーム構造体の前記繊維の前記繊維方向に容易に変換することができる。【００４１】
よって、上述の構成により、前記フレーム構造体に伝達される前記積層方向の荷重がより低減される。したがって、前記フレーム構造体における繊維及び樹脂の少なくとも一部の構造が変化することをより確実に抑制できる。【００４２】
前記フレーム構造体と、前記左側面繊維方向荷重変換部材の前記左荷重受け部との間には、前記左荷重受け部に入力される荷重を吸収する左荷重吸収部材が配置されてもよい。前記フレーム構造体と、前記右側面繊維方向荷重変換部材の前記右荷重受け部との間には、前記右荷重受け部に入力される荷重を吸収する右荷重吸収部材が配置されてもよい。【００４３】
これにより、前記傾斜車両が停車状態で左方向に転倒した際に、前記左側面繊維方向荷重変換部材に入力された荷重の少なくとも一部は、左荷重吸収部材によって吸収される。【００４４】
同様に、前記傾斜車両が停車状態で右方向に転倒した際に、前記右側面繊維方向荷重変換部材に入力された荷重の少なくとも一部は、右荷重吸収部材によって吸収される。【００４５】
よって、上述の構成により、前記フレーム構造体に伝達される荷重がより低減される。したがって、前記フレーム構造体における繊維及び樹脂の少なくとも一部の構造が変化することをより確実に抑制できる。【００４６】
前記左側面繊維方向荷重変換部材及び前記右側面繊維方向荷重変換部材は、それぞれ、繊維によって強化された繊維強化樹脂を含んでもよい。【００４７】
これにより、軽量で且つある程度の強度を有する左側面繊維方向荷重変換部材及び右側面繊維方向荷重変換部材が得られる。よって、前記傾斜車両のさらなる軽量化を図れる。【００４８】
前記第１左取付部、前記第１左荷重伝達部、前記左荷重受け部、前記第２左荷重伝達部及び前記第２左取付部は、前記第１左取付部、前記第１左荷重伝達部、前記左荷重受け部、前記第２左荷重伝達部、前記第２左取付部の順に、前記左側面繊維方向荷重変換部材における前記繊維強化樹脂の繊維方向に並んで設けられてもよい。前記第１右取付部、前記第１右荷重伝達部、前記右荷重受け部、前記第２右荷重伝達部及び前記第２右取付部は、前記第１右取付部、前記第１右荷重伝達部、前記右荷重受け部、前記第２右荷重伝達部、前記第２右取付部の順に、前記右側面繊維方向荷重変換部材における前記繊維強化樹脂の繊維方向に並んで設けられてもよい。【００４９】
前記左側面繊維方向荷重変換部材において、前記左荷重受け部に荷重が入力されると、前記第１左荷重伝達部及び前記第２左荷重伝達部を介して、前記第１左取付部及び前記第２左取付部に伝達される。上述のように、前記第１左取付部、前記第１左荷重伝達部、前記左荷重受け部、前記第２左荷重伝達部及び前記第２左取付部を、前記左側面繊維方向荷重変換部材の繊維の繊維方向に配置することで、前記荷重の伝達方向において、前記左側面繊維方向荷重変換部材の強度を向上できる。よって、前記荷重によって、前記左側面繊維方向荷重変換部材における繊維及び樹脂の構造が変化することを抑制できる。【００５０】
同様に、前記右側面繊維方向荷重変換部材において、前記右荷重受け部に荷重が入力されると、前記第１右荷重伝達部及び前記第２右荷重伝達部を介して、前記第１右取付部及び前記第２右取付部に伝達される。上述のように、前記第１右取付部、前記第１右荷重伝達部、前記右荷重受け部、前記第２右荷重伝達部及び前記第２右取付部を、前記右側面繊維方向荷重変換部材の繊維の繊維方向に配置することで、前記荷重の伝達方向において、前記右側面繊維方向荷重変換部材の強度を向上できる。よって、前記荷重によって、前記右側面繊維方向荷重変換部材における繊維及び樹脂の構造が変化することを抑制できる。【００５１】
前記第１左取付部及び前記第２左取付部は、接着剤によって前記フレーム構造体に固定されていてもよい。前記第１右取付部及び前記第２右取付部は、接着剤によって前記フレーム構造体に固定されていてもよい。【００５２】
これにより、前記左側面繊維方向荷重変換部材及び前記右側面繊維方向荷重変換部材を、前記フレーム構造体に対して、該フレーム構造体の強度を低下させることなく容易に取り付けることができる。すなわち、前記左側面繊維方向荷重変換部材及び前記右側面繊維方向荷重変換部材をボルト等によって前記フレーム構造体に固定する場合、前記フレーム構造体にボルト穴等を形成する必要があるため、前記フレーム構造体の強度が部分的に低下する可能性がある。これに対し、上述のように、前記左側面繊維方向荷重変換部材及び前記右側面繊維方向荷重変換部材を、前記フレーム構造体に対して接着剤によって固定することにより、前記フレーム構造体を加工する必要がないため、前記フレーム構造体の強度低下を抑制できる。【００５３】
本明細書で使用される専門用語は、特定の実施例のみを定義する目的で使用されるのであって、前記専門用語によって発明を制限する意図はない。【００５４】
本明細書で使用される「及び／または」は、一つまたは複数の関連して列挙された構成物のすべての組み合わせを含む。【００５５】
本明細書において、「含む、備える（including）」「含む、備える（comprising）」または「有する（having）」及びそれらの変形の使用は、記載された特徴、工程、要素、成分、及び/または、それらの等価物の存在を特定するが、ステップ、動作、要素、コンポーネント、及び/または、それらのグループのうちの１つまたは複数を含むことができる。【００５６】
本明細書において、「取り付けられた」、「接続された」、「結合された」、及び/または、それらの等価物は、広義の意味で使用され、“直接的及び間接的な”取り付け、接続及び結合の両方を包含する。さらに、「接続された」及び「結合された」は、物理的または機械的な接続または結合に限定されず、直接的または間接的な接続または結合を含むことができる。【００５７】
他に定義されない限り、本明細書で使用される全ての用語（技術用語及び科学用語を含む）は、本発明が属する技術分野の当業者によって一般的に理解される意味と同じ意味を有する。【００５８】
一般的に使用される辞書に定義された用語は、関連する技術及び本開示の文脈における意味と一致する意味を有すると解釈されるべきであり、本明細書で明示的に定義されていない限り、理想的または過度に形式的な意味で解釈されることはない。【００５９】
本発明の説明においては、いくつもの技術および工程が開示されていると理解される。これらの各々は、個別の利益を有し、他に開示された技術の１つ以上、または、場合によっては全てと共に使用することもできる。【００６０】
したがって、明確にするために、本発明の説明では、不要に個々のステップの可能な組み合わせをすべて繰り返すことを控える。しかしながら、本明細書及び特許請求の範囲は、そのような組み合わせがすべて本発明の範囲内であることを理解して読まれるべきである。【００６１】
本明細書では、本発明に係る傾斜車両の実施形態について説明する。【００６２】
以下の説明では、本発明の完全な理解を提供するために多数の具体的な例を述べる。しかしながら、当業者は、これらの具体的な例がなくても本発明を実施できることが明らかである。【００６３】
よって、以下の開示は、本発明の例示として考慮されるべきであり、本発明を以下の図面または説明によって示される特定の実施形態に限定することを意図するものではない。【００６４】
＜フレーム構造体の定義＞
本明細書において、フレーム構造体とは、車両の走行中に応力が生じる主骨格部材であり、一般的なフレームはもちろんのこと、応力外皮構造体等も含む。【００６５】
＜繊維方向の定義＞
本明細書において、繊維方向とは、繊維の長手方向を意味する。繊維を用いてシート状に形成された繊維シートでは、該繊維シートに含まれる繊維の長手方向が、繊維方向に対応する。繊維が交差するように配置されているシート状の部材の場合には、交差する繊維のそれぞれの方向を、繊維方向と呼ぶ。【００６６】
本発明の適用対象は、自動二輪車に限らない。本発明は、自動二輪車以外の傾斜車両に適用してもよい。傾斜車両とは、右旋回時に車両の右方に傾斜し、左旋回時に車両の左方に傾斜する車体フレームを有する車両である。
【発明の効果】
【００６７】
本発明の一実施形態に係る傾斜車両によれば、強度を確保しつつ、さらなる軽量化を図れるような構成が得られる。
【図面の簡単な説明】
【００６８】
【図１】図１は、本発明の実施形態１に係る車両の全体構成の概略を示す左側面図である。
【図２】図２は、車両の上面図、左側面繊維方向荷重変換部の断面図及び右側面繊維方向荷重変換部の断面図である。
【図３】図３は、リア構造体の概略構成を示す斜視図である。
【図４】図４は、図３におけるＩＶ−ＩＶ線断面図である。
【図５】図５は、左方向に倒れる車両を後方から見た図である。
【図６】図６は、車両が停車状態で左右方向に転倒して路面に接触した際の振動値の時間変化を模式的に示す図である。
【図７】図７は、図３におけるＶＩＩ−ＶＩＩ線断面図である。
【図８】図８は、実施形態２に係る車両の図１相当図である。
【図９】図９は、図８におけるＩＸ−ＩＸ線断面図である。
【図１０】図１０は、その他の実施形態に係る車両の左側面繊維方向荷重変換部の図４相当図である。
【図１１】図１１は、その他の実施形態に係る車両の左側面繊維方向荷重変換部の図４相当図である。
【発明を実施するための形態】
【００６９】
以下で、実施形態について、図面を参照しながら説明する。各図において、同一部分には同一の符号を付して、その同一部分の説明は繰り返さない。なお、各図中の構成部材の寸法は、実際の構成部材の寸法及び各構成部材の寸法比率等を忠実に表したものではない。
【００７０】
以下、図中の矢印Ｆは、車両の前方向を示す。図中の矢印ＲＲは、車両の後方向を示す。図中の矢印Ｕは、車両の上方向を示す。図中の矢印Ｌは、車両の左方向を示す。図中の矢印Ｒは、車両の右方向を示す。また、以下の説明において前後左右の方向は、それぞれ、車両を運転する乗員から見た場合の前後左右の方向を意味する。
【００７１】
［実施形態１］
＜全体構成＞
図１は、実施形態１に係る車両１（傾斜車両）の全体構成の概略を示す側面図である。車両１は、例えば、自動二輪車であり、車体２と、前輪３と、後輪４とを備える。車両１は、傾斜姿勢で旋回する傾斜車両である。すなわち、車両１は、左方向に旋回する際に左方向に傾斜し、右方向に旋回する際に右方向に傾斜する。
【００７２】
車体２は、車体カバー５、ハンドル６、シート７及びパワーユニット８等の各構成部品を支持する。本実施形態では、車体２は、フレーム１０と、リア構造体２０（フレーム構造体）と、左側面繊維方向荷重変換部材３１と、右側面繊維方向荷重変換部材４１（図２参照）とを含む。車体２は、フレーム１０及びリア構造体２０を含み、且つ、車両１の各構成部品を支持する構造体である。
【００７３】
フレーム１０は、ヘッドパイプ１１と、メインフレーム１２とを有する。ヘッドパイプ１１は、車両１の前部に位置し、ハンドル６に接続されたステアリングシャフト（図示省略）を回転可能に支持する。メインフレーム１２は、ヘッドパイプ１１から車両後方に向かって延びるように、ヘッドパイプ１１に接続されている。メインフレーム１２には、パワーユニット８等が支持されている。なお、フレーム１０は、一部が車体カバー５によって覆われている。
【００７４】
フレーム１０は、金属材料によって構成されていてもよいし、炭素などの繊維によって樹脂が強化された繊維強化樹脂を含む材料によって構成されていてもよい。
【００７５】
リア構造体２０は、リア構造体２０によって支持する構成部品の荷重及びリア構造体２０に入力される力を、壁部２１（図２から図４参照）によって負担する、いわゆる応力外皮構造を有する。リア構造体２０は、車体２の外表面を構成する。すなわち、リア構造体２０は、前記荷重及び力を負担する構造部材としての機能と、車体２の外表面の一部を構成するカバー部材としての機能とを有する。
【００７６】
図２は、車両の上面図、後述する左側面繊維方向荷重変換部材の断面図及び右側面繊維方向荷重変換部材の断面図である。図２における左側面繊維方向荷重変換部材の断面図及び右側面繊維方向荷重変換部材の断面図を、図４及び図７に拡大して示す。図３は、リア構造体２０の概略構成を示す斜視図である。図４は、図３におけるＩＶ−ＩＶ線断面図である。図７は、図３におけるＶＩＩ−ＶＩＩ線断面図である。
【００７７】
本実施形態では、リア構造体２０は、車両１のリアフレームとして機能するとともに、車両１のリアカバーとしても機能する。
【００７８】
リア構造体２０は、炭素繊維によって樹脂（例えば、エポキシ樹脂、ビニルエステル、フェノール樹脂、ポリアミド、ポリプロピレン、ポリフェニレンサルファイドなど）が強化された炭素繊維強化樹脂を含む材料によって構成されている。本実施形態では、前記炭素繊維は、厚み方向に複数積層された繊維シートを含む。この繊維シート（繊維）の積層方向は、リア構造体２０の壁部２１の厚み方向である。前記繊維シートは、繊維を例えば編んだり固めたりすることによって、シート状（平面状）に形成された部材を意味する。よって、リア構造体２０において、炭素繊維強化樹脂に用いられる炭素繊維の繊維方向は、リア構造体２０の壁部２１の厚み方向に直交する方向である。なお、本実施形態の場合、前記繊維方向は、前記繊維シートを構成する繊維の方向のうち一方向を意味する。図４及び図７に、リア構造体２０の壁部２１内の繊維を模式的に破線で示す。
【００７９】
図３に示すように、リア構造体２０は、車両１の前後方向に長い形状を有する。リア構造体２０は、内部に空間２０ａを形成するように該空間２０ａを囲む壁部２１を有する。リア構造体２０は、壁部２１によって、構造部材としての機能を有するとともに、車体２の外表面の一部として機能する。なお、リア構造体２０の前部には、シート７を配置するための切り欠き部２２が設けられている。
【００８０】
図３及び図４に示すように、リア構造体２０は、車両１の左方向の端部に、後述する左側面繊維方向荷重変換部材３１が配置される左側面２１ａを有する。また、リア構造体２０は、車両１の右方向の端部に、後述する右側面繊維方向荷重変換部材４１が配置される右側面２１ｂを有する（図３及び図７参照）。本実施形態では、左側面２１ａ及び右側面２１ｂは、曲面である。左側面２１ａ及び右側面２１ｂは、壁部２１の一部である。
【００８１】
上述のように、本実施形態のリア構造体２０は、炭素繊維によって樹脂が強化された炭素繊維強化樹脂を含む材料によって構成されているため、外部から衝撃が加わると、前記繊維及び前記樹脂の少なくとも一部の構造が変化する可能性がある。なお、繊維及び樹脂の構造が変化するとは、樹脂が繊維に対して剥離したり、樹脂が割れた状態に変化したりすることを意味する。
【００８２】
なお、本実施形態では、リア構造体２０の炭素繊維強化樹脂は、厚み方向に積層された複数の繊維シートを含む。車両１が停車状態で左右方向に転倒した場合、路面との接触によって、リア構造体２０に対して前記繊維シートの積層方向に荷重が入力される。
【００８３】
これに対し、本実施形態では、図３に示すように、リア構造体２０に対し、車両１の左右方向の両側面に、リア構造体２０とは別部材である左側面繊維方向荷重変換部材３１及び右側面繊維方向荷重変換部材４１が取り付けられている。すなわち、リア構造体２０の左側面２１ａの外表面上に、左方に突出するように左側面繊維方向荷重変換部材３１が設けられているとともに、リア構造体２０の右側面２１ｂの外表面上に、右方に突出するように右側面繊維方向荷重変換部材４１が設けられている。左側面繊維方向荷重変換部材３１及び右側面繊維方向荷重変換部材４１は、それぞれ、リア構造体２０の外表面に、外方に向かって突出するように設けられている。これにより、車両１が停車状態で左右方向に転倒した場合に、リア構造体２０よりも先に左側面繊維方向荷重変換部材３１または右側面繊維方向荷重変換部材４１が路面と接触する。よって、リア構造体２０を構成する炭素繊維強化樹脂における繊維及び樹脂の構造が変化することを抑制できる。
【００８４】
本実施形態において、左側面繊維方向荷重変換部材３１と右側面繊維方向荷重変換部材４１とは同様の構成を有するため、以下では、左側面繊維方向荷重変換部材３１の構成についてのみ説明する。
【００８５】
図４に示すように、左側面繊維方向荷重変換部材３１は、凸状に湾曲した板状部材である。左側面繊維方向荷重変換部材３１は、車両１の左方に突出するように、リア構造体２０の左側面２１ａ上に取り付けられている。
【００８６】
左側面繊維方向荷重変換部材３１は、車両１が停車状態で左方向に転倒した場合（図５の場合）に、路面Ｇと接触する。これにより、左側面繊維方向荷重変換部材３１には、荷重が入力される。左側面繊維方向荷重変換部材３１は、リア構造体２０を構成する炭素繊維強化樹脂における繊維及び樹脂の少なくとも一部の構造が変化する前に、入力された荷重をリア構造体２０の繊維方向の荷重に変換して、該荷重をリア構造体２０に伝達する。
【００８７】
したがって、車両１が停車状態で左方向に転倒した場合に、リア構造体２０に対して繊維シートの積層方向に入力される荷重を、左側面繊維方向荷重変換部材３１によって低減できる。すなわち、リア構造体２０に左側面繊維方向荷重変換部材３１を設けることにより、リア構造体２０を構成する炭素繊維強化樹脂における繊維及び樹脂の少なくとも一部の構造が変化するような荷重が入力されることを抑制できる。
【００８８】
詳しくは、左側面繊維方向荷重変換部材３１は、第１左取付部３２と、第２左取付部３３と、左荷重受け部３４と、第１左荷重伝達部３５と、第２左荷重伝達部３６とを有する。第１左取付部３２及び第２左取付部３３は、左側面繊維方向荷重変換部材３１のうち、リア構造体２０の左側面２１ａ上に固定される部分である。すなわち、第１左取付部３２及び第２左取付部３３は、車両１の左方に突出する左側面繊維方向荷重変換部材３１において、基端部に位置する。
【００８９】
第１左取付部３２及び第２左取付部３３は、例えば接着剤によって、左側面２１ａ上に固定されている。すなわち、左側面繊維方向荷重変換部材３１は、例えば接着剤によって、リア構造体２０に固定されている。このように、接着剤等を用いて左側面繊維方向荷重変換部材３１をリア構造体２０に固定することにより、リア構造体２０にボルト穴等の加工を行う必要がないため、リア構造体２０の強度低下を防止できる。
【００９０】
左荷重受け部３４は、左側面繊維方向荷重変換部材３１のうち、リア構造体２０の左部に位置する突出端である。すなわち、左荷重受け部３４は、左側面繊維方向荷重変換部材３１において、突出方向（車両１の左方向）の先端（凸の先端）である。よって、左荷重受け部３４は、第１左取付部３２及び第２左取付部３３よりも左方に位置する。左荷重受け部３４は、車両１が停車状態で左方向に転倒した際に、路面に接触する。よって、左荷重受け部３４には、車両１が左方向に転倒した際の路面との接触によって、図４に白抜き矢印で示す方向に荷重が入力される。なお、左荷重受け部３４に入力される荷重の方向は、リア構造体２０の繊維シートの積層方向である。
【００９１】
第１左荷重伝達部３５は、左荷重受け部３４と第１左取付部３２との間に位置する。第１左荷重伝達部３５は、リア構造体２０との間隔が左荷重受け部３４から第１左取付部３２に向かうほど小さくなるように設けられている。第１左荷重伝達部３５は、リア構造体２０の繊維方向に左荷重受け部３４と重なることなく、左荷重受け部３４から第１左取付部３２に延びている。なお、本実施形態では、第１左荷重伝達部３５は、リア構造体２０の繊維シートの積層方向（リア構造体２０の壁部２１の厚み方向）から見て、左荷重受け部３４と重ならない。
【００９２】
これにより、左荷重受け部３４に左方から荷重が入力された場合、該荷重は第１左荷重伝達部３５によって第１左取付部３２に伝達される。上述のように第１左荷重伝達部３５とリア構造体２０との間隔は、左荷重受け部３４から第１左取付部３２に向かうほど小さいため、第１左荷重伝達部３５からリア構造体２０に対し、リア構造体２０に沿う方向に荷重を伝達できる。また、第１左荷重伝達部３５は、リア構造体２０の繊維方向に左荷重受け部３４と重なることなく、左荷重受け部３４から第１左取付部３２に延びているため、第１左荷重伝達部３５を介して左荷重受け部３４からリア構造体２０に効率良く荷重を伝達できる。
【００９３】
第２左荷重伝達部３６は、左荷重受け部３４と第２左取付部３３との間に位置する。第２左荷重伝達部３６は、リア構造体２０との間隔が左荷重受け部３４から第２左取付部３３に向かうほど小さくなるように設けられている。第２左荷重伝達部３６は、リア構造体２０の繊維方向に左荷重受け部３４と重なることなく、左荷重受け部３４から第２左取付部３３に延びている。なお、本実施形態では、第２左荷重伝達部３６は、リア構造体２０の繊維シートの積層方向（リア構造体２０の壁部２１の厚み方向）から見て、左荷重受け部３４と重ならない。
【００９４】
これにより、左荷重受け部３４に左方から荷重が入力された場合、該荷重は第２左荷重伝達部３６によって第２左取付部３３に伝達される。上述のように第２左荷重伝達部３６とリア構造体２０との間隔は、左荷重受け部３４から第２左取付部３３に向かうほど小さいため、第２左荷重伝達部３６からリア構造体２０に対し、リア構造体２０に沿う方向に荷重を伝達できる。また、第２左荷重伝達部３６は、リア構造体２０の繊維方向に左荷重受け部３４と重なることなく、左荷重受け部３４から第２左取付部３３に延びているため、第２左荷重伝達部３６を介して左荷重受け部３４からリア構造体２０に効率良く荷重を伝達できる。
【００９５】
以上のように、左荷重受け部３４に左方から入力された荷重は、左側面繊維方向荷重変換部材３１において、第１左荷重伝達部３５を介して第１左取付部３２に伝達されるとともに、第２左荷重伝達部３６を介して第２左取付部３３に伝達される。すなわち、左側面繊維方向荷重変換部材３１において、左荷重受け部３４と第１左取付部３２及び第２左取付部３３との間に、それぞれ、荷重の伝達経路が形成されている。
【００９６】
また、左荷重受け部３４に左方から入力された荷重は、第１左荷重伝達部３５及び第１左取付部３２によって、リア構造体２０の厚み方向に直交する方向、すなわち、リア構造体２０の繊維の繊維方向の荷重に変換される。左荷重受け部３４に左方から入力された荷重は、第２左荷重伝達部３６及び第２左取付部３３によって、リア構造体２０の厚み方向に直交する方向、すなわち、リア構造体２０の繊維方向の荷重に変換される。
【００９７】
上述のように変換された荷重は、リア構造体２０に対して前記繊維方向（図４における矢印方向）に入力される。換言すれば、左側面繊維方向荷重変換部材３１に入力された荷重は、リア構造体２０に対して前記繊維方向の引張方向に入力される。よって、炭素繊維強化樹脂を含む材料で構成されたリア構造体２０において、最も強度が高い方向に荷重が入力されるため、リア構造体２０の炭素繊維強化樹脂における繊維及び樹脂の少なくとも一部の構造が変化することを抑制できる。
【００９８】
左側面繊維方向荷重変換部材３１は、左荷重受け部３４、第１左荷重伝達部３５及び第２左荷重伝達部３６と、リア構造体２０の左側面２１ａとの間に、左空間部３７を有する。これにより、左荷重受け部３４に荷重が入力された場合に、左側面繊維方向荷重変換部材３１は容易に変形する。左側面繊維方向荷重変換部材３１の変形によって、前記荷重の一部を吸収できるとともに、前記荷重をリア構造体２０の繊維方向の荷重に容易に変換できる。したがって、前記荷重が、リア構造体２０に伝達されることをより確実に防止できる。
【００９９】
左側面繊維方向荷重変換部材３１は、リア構造体２０と同様、炭素繊維によって樹脂が強化された炭素繊維強化樹脂を含む材料によって構成されている。すなわち、左側面繊維方向荷重変換部材３１は、炭素繊維によって樹脂（例えば、エポキシ樹脂、ビニルエステル、フェノール樹脂、ポリアミド、ポリプロピレン、ポリフェニレンサルファイドなど）が強化された炭素繊維強化樹脂を含む材料によって構成されている。本実施形態では、前記炭素繊維は、厚み方向に複数積層された繊維シートを含む。繊維シート（繊維）の積層方向は、左側面繊維方向荷重変換部材３１の厚み方向である。前記繊維シートは、繊維を例えば編んだり固めたりすることによって、シート状（平面状）に形成された部材を意味する。よって、左側面繊維方向荷重変換部材３１において、炭素繊維強化樹脂に用いられる炭素繊維の繊維方向は、左側面繊維方向荷重変換部材３１の厚み方向に直交する方向である。なお、本実施形態の場合、前記繊維方向は、前記繊維シートを構成する繊維の方向のうち一方向を意味する。図４に、左側面繊維方向荷重変換部材３１内の繊維を模式的に破線で示す。
【０１００】
図４に示すように、左側面繊維方向荷重変換部材３１を左右方向に切断した場合の断面で見て、第１左取付部３２、第２左取付部３３、左荷重受け部３４、第１左荷重伝達部３５及び第２左荷重伝達部３６は、左側面繊維方向荷重変換部材３１の繊維方向に沿って、第１左取付部３２、第１左荷重伝達部３５、左荷重受け部３４、第２左荷重伝達部３６及び第２左取付部３３の順に、並んで設けられている。
【０１０１】
これにより、上述のように左荷重受け部３４に左方から荷重が入力された場合、前記繊維方向に沿って、第１左荷重伝達部３５及び第１左取付部３２に前記荷重の一部が伝達されるとともに、第２左荷重伝達部３６及び第２左取付部３３に前記荷重の一部が伝達される。よって、車両１が停車状態で左方向に転倒した際に、左側面繊維方向荷重変換部材３１に荷重が入力されると、左側面繊維方向荷重変換部材３１の最も強度が高い方向、すなわち前記繊維方向の引張方向に前記荷重が伝達される。これにより、前記荷重によって、左側面繊維方向荷重変換部材３１の炭素繊維強化樹脂における繊維及び樹脂の構造が変化することを抑制できる。
【０１０２】
以上の構成により、左側面繊維方向荷重変換部材３１は、車両１が停車状態で左方向に転倒した場合に、左荷重受け部３４を介して路面から入力される荷重を、リア構造体２０の繊維方向の荷重に変換して、該変換された荷重をリア構造体２０に伝達する。よって、左側面繊維方向荷重変換部材３１によって、リア構造体２０に対してリア構造体２０の繊維シートの積層方向に入力される荷重を低減できる。これにより、車両１が停車状態で左方向に転倒した際に、リア構造体２０の炭素繊維強化樹脂における繊維及び樹脂の少なくとも一部の構造が変化することを抑制できる。
【０１０３】
図５に示すように車両１が停車状態で左方向に傾斜して転倒した場合、車両１が路面Ｇと接触した際に車両１に生じる振動値（振動の加速度）は、図６に示すように変動する。すなわち、図６に示すように、車両１が路面Ｇと接触した際に車両１に生じる振動値は、初期段階では大きく、時間の経過とともに徐々に減少する。これは、車両１が路面Ｇと接触した際に、車両１が路面に対してバウンドすることが理由と考えられる。したがって、路面Ｇとの接触によって車両１に入力される荷重は、接触の初期段階で大きい。
【０１０４】
上述のような車両１と路面Ｇとの接触において、左側面繊維方向荷重変換部材３１は、車両１に入力される荷重のピークを低減する。よって、左側面繊維方向荷重変換部材３１によって、車両１が停車状態で左方向に転倒した場合に路面Ｇとの接触によって車両１に入力される荷重を低減できる。
【０１０５】
右側面繊維方向荷重変換部材４１は、リア構造体２０に対して車両１の右部に設けられている点以外、上述の左側面繊維方向荷重変換部材３１と同様の構成及び作用効果を有する。図７に、図３におけるＶＩＩ−ＶＩＩ線断面を示す。図７に示すように、右側面繊維方向荷重変換部材４１は、第１右取付部４２と、第２右取付部４３と、右荷重受け部４４と、第１右荷重伝達部４５と、第２右荷重伝達部４６とを有する。右荷重受け部４４は、第１右取付部４２及び第２右取付部４３よりも右方に位置する。右側面繊維方向荷重変換部材４１は、右荷重受け部４４、第１右荷重伝達部４５及び第２右荷重伝達部４６と、リア構造体２０の右側面２１ｂとの間に、右空間部４７を有する。
【０１０６】
車両１が停車状態で右方向に転倒した際に、右側面繊維方向荷重変換部材４１の右荷重受け部４４が路面と接触する。これにより、右荷重受け部４４に、図７に白抜き矢印で示す方向（リア構造体２０の繊維シートの積層方向）に荷重が入力される。右荷重受け部４４に入力された荷重は、第１右荷重伝達部４５を介して第１右取付部４２に伝達されるとともに、第２右荷重伝達部４６を介して第２右取付部４３に伝達される。よって、右側面繊維方向荷重変換部材４１に対してリア構造体２０の繊維シートの積層方向に入力された荷重は、リア構造体２０の繊維方向の荷重に変換される。そして、変換後の荷重は、第１右取付部４２及び第２右取付部４３によって、リア構造体２０に対して前記繊維方向に伝達される。
【０１０７】
よって、右側面繊維方向荷重変換部材４１によって、リア構造体２０に対してリア構造体２０の繊維シートの積層方向に入力される荷重を低減できる。これにより、車両１が停車状態で右方向に転倒した際に、リア構造体２０の炭素繊維強化樹脂における繊維及び樹脂の少なくとも一部の構造が変化することを防止できる。
【０１０８】
以上より、本実施形態の構成では、リア構造体２０を、積層された繊維によって樹脂が強化された繊維強化樹脂を含む構成とすることで、リア構造体２０の軽量化を図ることができる。よって、車両１の軽量化を図ることができる。
【０１０９】
また、リア構造体２０の左側面２１ａ及び右側面２１ｂに、それぞれ左側面繊維方向荷重変換部材３１及び右側面繊維方向荷重変換部材４１を取り付ける。これにより、車両１が停車状態で左右方向に転倒した際に、左側面繊維方向荷重変換部材３１または右側面繊維方向荷重変換部材４１に荷重が入力される。
【０１１０】
具体的には、車両１が停車状態で左方向に転倒した際には、左側面繊維方向荷重変換部材３１が路面Ｇに接触する。この際、左側面繊維方向荷重変換部材３１の左荷重受け部３４に対して、リア構造体２０の繊維シートの積層方向に荷重が入力される。左側面繊維方向荷重変換部材３１は、前記荷重を、リア構造体２０の繊維方向の荷重に変換して、リア構造体２０に伝達する。これにより、リア構造体２０に対して入力される前記積層方向の荷重を低減できる。よって、リア構造体２０の炭素繊維強化樹脂における繊維及び樹脂の少なくとも一部の構造が変化することを抑制できる。
【０１１１】
同様に、車両１が停車状態で右方向に転倒した際には、右側面繊維方向荷重変換部材４１が路面等に接触する。この際、右側面繊維方向荷重変換部材４１の右荷重受け部４４に対して、リア構造体２０の繊維シートの積層方向に荷重が入力される。右側面繊維方向荷重変換部材４１は、前記荷重を、リア構造体２０の繊維方向の荷重に変換して、リア構造体２０に伝達する。これにより、リア構造体２０に対して入力される前記積層方向の荷重を低減できる。よって、リア構造体２０の炭素繊維強化樹脂における繊維及び樹脂の少なくとも一部の構造が変化することを抑制できる。
【０１１２】
また、上述のように、リア構造体２０の左右両側面にそれぞれ左側面繊維方向荷重変換部材３１及び右側面繊維方向荷重変換部材４１を設けることにより、車体２の後部の側面に、付属品や乗員等が接触した場合でも、リア構造体２０の炭素繊維強化樹脂における繊維及び樹脂の少なくとも一部の構造が変化することを抑制できる。
【０１１３】
しかも、左側面繊維方向荷重変換部材３１及び右側面繊維方向荷重変換部材４１は、リア構造体２０とは別の部材であるため、リア構造体２０の設計に際して、車両１の転倒に対する強度を考慮する必要がない。よって、リア構造体２０の設計自由度を向上させることができる。
【０１１４】
したがって、上述の構成により、リア構造体２０の設計自由度を低下させることなく車両１の強度を確保しつつ、車両１のさらなる軽量化を図ることができる。
【０１１５】
［実施形態２］
図８に、実施形態２に係る車両１０１の左側面図を示す。図９に、車両１０１の左側面繊維方向荷重変換部材１３１の断面を示す。この実施形態２における左側面繊維方向荷重変換部材１３１は、車両１０１のフロント構造体１２０の外表面上に取り付けられているとともに、台形状の断面を有する点で、実施形態１の構成とは異なる。よって、以下では、実施形態１と同様の構成には同一の符号を付して説明を省略し、異なる部分についてのみ説明する。なお、以下では、左側面繊維方向荷重変換部材１３１の構成について説明するが、実施形態１と同様、右側面繊維方向荷重変換部材も左側面繊維方向荷重変換部材１３１と同様の構成を有する。
【０１１６】
図８に示すように、車両１０１の車体１０２は、フロント構造体１２０（フレーム構造体）と、フレーム１１０と、左側面繊維方向荷重変換部材１３１と、右側面繊維方向荷重変換部材（図示省略）とを含む。すなわち、車体１０２は、フロント構造体１２０と、フレーム１１０とを含み、且つ、車両１０１の各構成部品を支持する。
【０１１７】
フロント構造体１２０は、フロント構造体１２０によって支持する構成部品の荷重やフロント構造体１２０に入力される力を、壁部１２１（図９参照）によって負担する、いわゆる応力外皮構造を有する。フロント構造体１２０は、車体１０２の外表面を構成する。すなわち、フロント構造体１２０は、前記荷重及び力を負担する構造部材としての機能と、車体１０２の外表面の一部を構成するカバー部材としての機能とを有する。具体的には、フロント構造体１２０は、車両１０１のメインフレームとして機能するとともに、車両１０１のフロントカバーとしても機能する。
【０１１８】
フロント構造体１２０は、炭素繊維によって樹脂（例えば、エポキシ樹脂、ビニルエステル、フェノール樹脂、ポリアミド、ポリプロピレン、ポリフェニレンサルファイドなど）が強化された炭素繊維強化樹脂を含む材料によって構成されている。本実施形態では、前記炭素繊維は、厚み方向に複数積層された繊維シートを含む。この繊維シートの積層方向は、フロント構造体１２０の壁部１２１の厚み方向である。前記繊維シートは、繊維を例えば編んだり固めたりすることによって、シート状（平面状）に形成された部材を意味する。よって、フロント構造体１２０において、炭素繊維強化樹脂に用いられる炭素繊維の繊維方向は、フロント構造体１２０の壁部１２１の厚み方向に直交する方向である。なお、本実施形態の場合、前記繊維方向は、前記繊維シートを構成する繊維の方向のうち一方向を意味する。図９に、フロント構造体１２０の壁部１２１内の繊維を模式的に破線で示す。
【０１１９】
フロント構造体１２０の後部には、フレーム１１０の前部が接続されている。フレーム１１０は、フロント構造体１２０から車両１０１の後方に向かって延びている。フレーム１１０は、金属材料によって構成されていてもよいし、炭素などの繊維によって樹脂が強化された繊維強化樹脂を含む材料によって構成されていてもよい。
【０１２０】
本実施形態では、フロント構造体１２０に対し、車両１０１の左右方向の両側部に、フロント構造体１２０とは別部材である左側面繊維方向荷重変換部材１３１及び右側面繊維方向荷重変換部材（図示省略）が取り付けられている。本実施形態において、左側面繊維方向荷重変換部材１３１と右側面繊維方向荷重変換部材とは同様の構成を有するため、以下では、左側面繊維方向荷重変換部材１３１の構成についてのみ説明する。
【０１２１】
図９に示すように、左側面繊維方向荷重変換部材１３１は、第１左取付部１３２と、第２左取付部１３３と、左荷重受け部１３４と、第１左荷重伝達部１３５と、第２左荷重伝達部１３６とを有する。車両１０１の前後方向に切断した場合の断面で見て、左荷重受け部１３４は、フロント構造体１２０の左側面１２１ａに沿って配置される平板状である。第１左荷重伝達部１３５及び第２左荷重伝達部１３６は、左荷重受け部１３４から左側面１２１ａに向かって延びる平板状である。左荷重受け部１３４、第１左荷重伝達部１３５及び第２左荷重伝達部１３６は、一体で形成されている。
【０１２２】
第１左荷重伝達部１３５及び第２左荷重伝達部１３６は、左荷重受け部１３４に接続された基端部から先端部（フロント構造体１２０の左側面１２１ａ方向）に向かって間隔が大きくなるように拡がっている。第１左荷重伝達部１３５及び第２左荷重伝達部１３６は、それぞれ、先端部がフロント構造体１２０の壁部１２１の外表面上に接着剤等によって固定されている。すなわち、第１左荷重伝達部１３５の先端部によって、第１左取付部１３２が構成され、第２左荷重伝達部１３６の先端部によって、第２左取付部１３３が構成される。
【０１２３】
第１左荷重伝達部１３５は、フロント構造体１２０との間隔が左荷重受け部１３４から第１左取付部１３２に向かうほど小さくなるように構成されている。第１左荷重伝達部１３５は、フロント構造体１２０の繊維方向に左荷重受け部１３４と重なることなく、左荷重受け部１３４から第１左取付部１３２に延びている。なお、本実施形態では、第１左荷重伝達部１３５は、フロント構造体１２０の繊維シートの積層方向から見て、左荷重受け部１３４と重ならない。
【０１２４】
第２左荷重伝達部１３６は、フロント構造体１２０との間隔が左荷重受け部１３４から第２左取付部１３３に向かうほど小さくなるように構成されている。第２左荷重伝達部１３６は、フロント構造体１２０の繊維方向に左荷重受け部１３４と重なることなく、左荷重受け部１３４から第２左取付部１３３に延びている。なお、本実施形態では、第２左荷重伝達部１３６は、フロント構造体１２０の繊維シートの積層方向から見て、左荷重受け部１３４と重ならない。
【０１２５】
上述のような第１左荷重伝達部１３５及び第２左荷重伝達部１３６の構成により、左荷重受け部１３４に左方から入力された荷重は、第１左荷重伝達部１３５及び第２左荷重伝達部１３６によって、フロント構造体１２０の繊維方向の荷重に変換される。変換後の荷重は、第１左取付部１３２及び第２左取付部１３３を介して、フロント構造体１２０に対して繊維方向に伝達される。
【０１２６】
次に、車両１０１が停車状態で左方向に転倒した場合に、左側面繊維方向荷重変換部材１３１からフロント構造体１２０に対して入力される荷重について、説明する。
【０１２７】
車両１０１が停車状態で左方向に転倒した場合、左側面繊維方向荷重変換部材１３１は、左荷重受け部１３４が路面Ｇと接触する。よって、左荷重受け部１３４には、図９に白抜き矢印で示す方向（フロント構造体１２０の繊維シートの積層方向）に荷重が入力される。
【０１２８】
左荷重受け部１３４に入力された荷重は、第１左荷重伝達部１３５及び第２左荷重伝達部１３６によって、それぞれ、第１左取付部１３２及び第２左取付部１３３に伝達される。すなわち、左荷重受け部１３４に入力された荷重は、第１左荷重伝達部１３５及び第２左荷重伝達部１３６によって、フロント構造体１２０の繊維方向の荷重に変換される。変換された荷重は、図９に矢印で示すように、第１左取付部１３２及び第２左取付部１３３からフロント構造体１２０に伝達される。
【０１２９】
左側面繊維方向荷重変換部材１３１からフロント構造体１２０に伝達された荷重は、フロント構造体１２０の繊維方向の荷重である。そのため、前記荷重は、フロント構造体１２０の繊維に対して引張方向に加わる。すなわち、前記荷重は、フロント構造体１２０に対して、フロント構造体１２０の最も強度が高い方向に入力される。
【０１３０】
したがって、左側面繊維方向荷重変換部材１３１から入力された荷重によって、フロント構造体１２０における繊維及び樹脂の少なくとも一部の構造が変化することを抑制できる。
【０１３１】
左側面繊維方向荷重変換部材１３１は、左荷重受け部１３４、第１左荷重伝達部１３５及び第２左荷重伝達部１３６と、フロント構造体１２０の左側面１２１ａとの間に、左空間部１３７を有する。これにより、左荷重受け部１３４に上述の荷重が入力された場合に、左側面繊維方向荷重変換部材１３１は容易に変形する。左側面繊維方向荷重変換部材１３１の変形によって、前記荷重の一部を吸収できるとともに、前記荷重をフロント構造体１２０の繊維方向の荷重に容易に変換できる。したがって、フロント構造体１２０に伝達される荷重をより低減できる。
【０１３２】
左側面繊維方向荷重変換部材１３１は、フロント構造体１２０と同様、炭素繊維によって樹脂が強化された炭素繊維強化樹脂によって構成されている。すなわち、左側面繊維方向荷重変換部材１３１は、炭素繊維によって樹脂（例えば、エポキシ樹脂、ビニルエステル、フェノール樹脂、ポリアミド、ポリプロピレン、ポリフェニレンサルファイドなど）が強化された炭素繊維強化樹脂を含む材料によって構成されている。本実施形態では、前記炭素繊維は、厚み方向に複数積層された繊維シートを含む。繊維シート（繊維）の積層方向は、左側面繊維方向荷重変換部材１３１の厚み方向である。前記繊維シートは、繊維を例えば編んだり固めたりすることによって、シート状（平面状）に形成された部材を意味する。よって、左側面繊維方向荷重変換部材１３１において、炭素繊維強化樹脂に用いられる炭素繊維の繊維方向は、左側面繊維方向荷重変換部材１３１の厚み方向に直交する方向である。なお、本実施形態の場合、前記繊維方向は、前記繊維シートを構成する繊維の方向のうち一方向を意味する。図９に、左側面繊維方向荷重変換部材１３１内の繊維を模式的に破線で示す。
【０１３３】
図９に示すように、左側面繊維方向荷重変換部材１３１を前後方向に切断した場合の断面で見て、第１左取付部１３２、第２左取付部１３３、左荷重受け部１３４、第１左荷重伝達部１３５及び第２左荷重伝達部１３６は、左側面繊維方向荷重変換部材１３１の繊維方向に沿って、第１左取付部１３２、第１左荷重伝達部１３５、左荷重受け部１３４、第２左荷重伝達部１３６及び第２左取付部１３３の順に、並んで設けられている。
【０１３４】
これにより、上述のように左荷重受け部１３４に荷重が入力された場合、前記繊維方向に沿って、第１左荷重伝達部１３５及び第１左取付部１３２に前記荷重の一部が伝達されるとともに、第２左荷重伝達部１３６及び第２左取付部１３３に前記荷重の一部が伝達される。よって、車両１０１が停車状態で左方向に転倒した際に左側面繊維方向荷重変換部材１３１に荷重が入力されると、左側面繊維方向荷重変換部材１３１の最も強度が高い方向、すなわち前記繊維方向の引張方向に前記荷重が伝達される。これにより、前記荷重によって、左側面繊維方向荷重変換部材１３１の炭素繊維強化樹脂における繊維及び樹脂の構造が変化することを抑制できる。
【０１３５】
以上の構成により、左側面繊維方向荷重変換部材１３１は、車両１が停車状態で左方向に転倒した場合に、左荷重受け部１３４を介して路面から入力される荷重を、フロント構造体１２０の繊維方向の荷重に変換して、該変換された荷重をフロント構造体１２０に伝達する。よって、左側面繊維方向荷重変換部材１３１によって、フロント構造体１２０に対してフロント構造体１２０の繊維シートの積層方向に入力される荷重を低減できる。これにより、車両１０１が停車状態で左方向に転倒した際に、フロント構造体１２０の炭素繊維強化樹脂における繊維及び樹脂の少なくとも一部の構造が変化することを抑制できる。
【０１３６】
特に図示しないが、同様に、フロント構造体１２０の右側面の外表面上にも、左側面繊維方向荷重変換部材１３１と同様の構成を有する右側面繊維方向荷重変換部材が取り付けられる。これにより、車両１０１が停車状態で右方向に転倒した場合に、右荷重受け部に入力された荷重は、第１右荷重伝達部及び第２右荷重伝達部によって、フロント構造体１２０の繊維方向の荷重に変換される。変換された荷重は、第１右取付部及び第２右取付部を介してフロント構造体１２０に伝達される。よって、フロント構造体１２０には、繊維方向に引張方向の荷重が入力される。したがって、車両１０１が右方向に転倒した場合でも、フロント構造体１２０における繊維及び樹脂の少なくとも一部の構造が変化することを抑制できる。
【０１３７】
本実施形態の構成により、車両１０１が停車状態で左右方向に転倒した場合に、左側面繊維方向荷重変換部材１３１または右側面繊維方向荷重変換部材によって、フロント構造体１２０に対して繊維の積層方向に入力される荷重を低減することができる。したがって、フロント構造体１２０の炭素繊維強化樹脂における繊維及び樹脂の少なくとも一部の構造が変化することを抑制できる。
【０１３８】
（その他の実施形態）
以上、本発明の実施の形態を説明したが、上述した実施の形態は本発明を実施するための例示に過ぎない。よって、上述した実施の形態に限定されることなく、その趣旨を逸脱しない範囲内で上述した実施の形態を適宜変形して実施することが可能である。
【０１３９】
前記各実施形態では、リア構造体２０の左側面２１ａに断面凸状の左側面繊維方向荷重変換部材３１が固定され、フロント構造体１２０の左側面１２１ａに断面台形状の左側面繊維方向荷重変換部材１３１が固定されている。しかしながら、リア構造体の左側面に断面台形状の左側面繊維方向荷重変換部材が固定されていてもよい。フロント構造体の左側面に断面凸状の左側面繊維方向荷重変換部材が固定されていてもよい。また、左側面繊維方向荷重変換部材の断面形状は、繊維強化樹脂を含む構造体の繊維の積層方向に入力された荷重を、該繊維の繊維方向の荷重に変換可能な形状であれば、例えば円形状、三角形状など、どのような断面形状であってもよい。
【０１４０】
なお、左側面繊維方向荷重変換部材に限らず、右側面繊維方向荷重変換部材についても同様に、右側面繊維方向荷重変換部材の断面形状は、繊維強化樹脂を含む構造体の繊維の積層方向に入力された荷重を、該繊維の繊維方向の荷重に変換可能な形状であれば、どのような断面形状であってもよい。
【０１４１】
前記各実施形態では、左側面繊維方向荷重変換部材３１，１３１及び右側面繊維方向荷重変換部材４１は、リア構造体２０及びフロント構造体１２０に対して固定されている。しかしながら、左側面繊維方向荷重変換部材及び右側面繊維方向荷重変換部材は、リア構造体及びフロント構造体以外に取り付けてもよい。すなわち、左側面繊維方向荷重変換部材及び右側面繊維方向荷重変換部材は、車両の骨格を形成するフレーム構造体に取り付けられていればよい。
【０１４２】
図１０に示すように、例えば、リア構造体２２０の左側面２２１ａに、左側面繊維方向荷重変換部材３１の第１左取付部３２及び第２左取付部３３を固定するための凹部２２１ｂを設けてもよい。凹部２２１ｂは、リア構造体２２０の左側面２２１ａにおいて、左側面繊維方向荷重変換部材３１の第１左取付部３２及び第２左取付部３３が接触する接触面２２１ｃを有する。なお、凹部２２１ｂは、左側面繊維方向荷重変換部材３１の第１左取付部３２及び第２左取付部３３を安定して保持可能な断面形状であれば、どのような断面形状であってもよい。
【０１４３】
このようにリア構造体２２０の左側面２２１ａに凹部２２１ｂを設けることにより、リア構造体２２０に対して左側面繊維方向荷重変換部材３１をより確実に固定できる。
【０１４４】
上述の構成においても、第１左取付部３２及び第２左取付部３３が凹部２２１ｂの接触面２２１ｃに接触する部分では、左側面繊維方向荷重変換部材３１の左荷重受け部３４に入力された荷重が、第１左取付部３２及び第２左取付部３３からリア構造体２２０に対して、リア構造体２２０の繊維方向の荷重として入力される（図１０の矢印参照）。よって、車両が停車状態で左方に転倒した場合に、リア構造体２２０に対して繊維の積層方向に入力される荷重を低減できる。したがって、リア構造体２２０の炭素繊維強化樹脂における繊維及び樹脂の少なくとも一部の構造が変化することを抑制できる。
【０１４５】
なお、上述のような凹部は、左側面繊維方向荷重変換部材が固定される部分に設けられてもよいし、リア構造体に限らず、フロント構造体などの他の構造体に設けられてもよい。
【０１４６】
前記各実施形態では、左側面繊維方向荷重変換部材３１，１３１及び右側面繊維方向荷重変換部材４１は、それぞれ、内部に左空間部３７，１３７または右空間部４７を有する。しかしながら、左側面繊維方向荷重変換部材及び右側面繊維方向荷重変換部材の内部に、それぞれ、左荷重吸収部材及び右荷重吸収部材を配置してもよい。例えば図１１に示すように、左側面繊維方向荷重変換部材３１の内部、すなわちリア構造体２０の左側面２１ａと左側面繊維方向荷重変換部材３１の左荷重受け部３４との間に、左荷重吸収部材５０を配置してもよい。特に図示しないが、同様に、右側面繊維方向荷重変換部材４１の内部、すなわちリア構造体２０の右側面２１ｂと右側面繊維方向荷重変換部材４１の右荷重受け部４４との間に、右荷重吸収部材を配置してもよい。
【０１４７】
左荷重吸収部材５０及び右荷重吸収部材は、例えば、発泡樹脂などの樹脂、ゴム、ゲル状材料など、左側面繊維方向荷重変換部材及び右側面繊維方向荷重変換部材に入力された荷重を吸収可能な材料であれば、どのような材料であってもよい。
【０１４８】
これにより、車両が停車状態で左右方向に転倒した際に、路面との接触によって左側面繊維方向荷重変換部材または右側面繊維方向荷重変換部材に入力された荷重（左側面繊維方向荷重変換部材に入力される荷重の方向は、図１１に白抜き矢印で示す方向）は、左荷重吸収部材または右荷重吸収部材によって少なくとも一部が吸収される。したがって、上述の構成により、車両の左右方向の転倒によってフレーム構造体に入力される荷重をより低減できる。よって、車両の左右方向の転倒によってフレーム構造体の炭素繊維強化樹脂における繊維及び樹脂の少なくとも一部の構造が変化することをより抑制できる。
【０１４９】
なお、左側面繊維方向荷重変換部材及び右側面繊維方向荷重変換部材の一方のみに、荷重吸収部材を設けてもよい。
【０１５０】
前記各実施形態では、リア構造体２０，２２０、フロント構造体１２０、左側面繊維方向荷重変換部材３１，１３１及び右側面繊維方向荷重変換部材４１は、炭素繊維によって樹脂が強化された炭素繊維強化樹脂を含む材料によって構成されている。しかしながら、リア構造体、フロント構造体、左側面繊維方向荷重変換部材及び右側面繊維方向荷重変換部材を、炭素繊維以外の繊維（例えば、アラミド繊維、ポリエチレン繊維、ガラス繊維など）によって樹脂が強化された繊維強化樹脂を含む材料によって構成してもよい。また、前記実施形態では、リア構造体２０，２２０、フロント構造体１２０、左側面繊維方向荷重変換部材３１，１３１及び右側面繊維方向荷重変換部材４１は、エポキシ樹脂、ビニルエステル、フェノール樹脂、ポリアミド、ポリプロピレン、ポリフェニレンサルファイドなどの樹脂によって構成されている。しかしながら、樹脂は、繊維によって強化可能な樹脂であれば、他の種類の樹脂であってもよい。
【０１５１】
また、リア構造体、フロント構造体、左側面繊維方向荷重変換部材及び右側面繊維方向荷重変換部材は、例えば金属や樹脂など、繊維強化樹脂以外の材料を含んでいてもよい。
【０１５２】
さらに、左側面繊維方向荷重変換部材及び右側面繊維方向荷重変換部材は、繊維強化樹脂を含んでいなくてもよい。この場合、左側面繊維方向荷重変換部材及び右側面繊維方向荷重変換部材は、たとえば、樹脂、金属などの材料で構成されていてもよい。
【０１５３】
前記各実施形態において、炭素繊維強化樹脂に用いられる炭素繊維は、繊維同士が編まれていてもよいし、編まれていない状態であってもよい。すなわち、炭素繊維は、繊維シートでなくてもよい。また、前記各実施形態では、炭素繊維の繊維シートは、複数、積層されているが、この限りではなく、繊維シートが１枚だけであってもよい。この場合には、前記各実施形態における積層方向は、炭素繊維強化樹脂によって構成された部材の厚み方向に対応する。さらに、前記炭素繊維は、所定長さ（例えば１ｍｍ）以上、連続した繊維であってもよいし、不連続繊維であってもよい。なお、前記炭素繊維が不連続繊維の場合には、左側面繊維方向荷重変換部材及び右側面繊維方向荷重変換部材は、構造体において強度が比較的高い方向に荷重を伝達するように、前記構造体に取り付けられることが好ましい。
【０１５４】
前記各実施形態において、炭素繊維強化樹脂は、炭素繊維によって強化された炭素繊維強化樹脂層と、発泡合成樹脂を含む発泡樹脂層とが厚み方向に積層された複合材料によって構成されていてもよい。この複合材料は、一対の前記炭素繊維強化樹脂層を有し、それらの炭素繊維強化樹脂層の間に、前記発泡樹脂層が配置された材料である。前記複合材料を用いることにより、炭素繊維強化樹脂層のみを用いる場合に比べて、炭素繊維強化樹脂を含む各部材の軽量化を図れるとともに、前記各部材の厚みを容易に変えることができる。なお、前記発泡樹脂層の前記発泡合成樹脂として、振動を吸収可能な樹脂を用いてもよい。
【０１５５】
前記各実施形態では、左側面繊維方向荷重変換部材３１，１３１及び右側面繊維方向荷重変換部材４１は、入力された荷重を、リア構造体２０，２２０またはフロント構造体１２０の繊維方向に変換し、該変換後の荷重をリア構造体２０，２２０またはフロント構造体１２０に伝達する。しかしながら、左側面繊維方向荷重変換部材及び右側面繊維方向荷重変換部材は、構造体の炭素繊維強化樹脂における繊維及び樹脂の一部の構造が変化しなければ、入力された荷重を前記構造体の繊維方向以外の方向の荷重に変換して、該変換後の荷重を前記構造体に伝達してもよい。
【０１５６】
前記各実施形態では、車体は、応力外皮構造を有するリア構造体２０，２２０またはフロント構造体１２０を有する。しかしながら、車体は、メインフレーム及びシートレールを含むフレーム構造を有していてもよい。この場合には、フレーム構造は、炭素繊維によって樹脂が強化された炭素繊維強化樹脂を含む材料によって構成されている。そして、前記フレーム構造の外表面上で、且つ、車両が停車状態で左右方向に転倒した場合に接触する位置に、左側面繊維方向荷重変換部材または右側面繊維方向荷重変換部材を取り付ければよい。
【０１５７】
前記各実施形態では、左側面繊維方向荷重変換部材３１，１３１及び右側面繊維方向荷重変換部材４１は、リア構造体２０，２２０、フロント構造体１２０に対し、接着剤によって固定されている。しかしながら、左側面繊維方向荷重変換部材及び右側面繊維方向荷重変換部材は、溶着やボルト固定など、接着剤以外の方法によって、リア構造体及びフロント構造体に固定されていてもよい。なお、第１左取付部、第２左取付部、第１右取付部及び第２右取付部のうち一部のみが、接着剤によって、繊維強化樹脂を含む構造体に固定されていてもよい。
【符号の説明】
【０１５８】
１、１０１  車両
２、１０２  車体
１０、１１０  フレーム
２０、２２０  リア構造体（フレーム構造体）
２０ａ  空間
２１、１２１  壁部
２１ａ、１２１ａ  左側面
２１ｂ  右側面
３１、１３１  左側面繊維方向荷重変換部材
３２、１３２  第１左取付部
３３、１３３  第２左取付部
３４、１３４  左荷重受け部
３５、１３５  第１左荷重伝達部
３６、１３６  第１左荷重伝達部
３７、１３７  左空間部
４１  右側面繊維方向荷重変換部材
４２  第１右取付部
４３  第２右取付部
４４  右荷重受け部
４５  第１右荷重伝達部
４６  第１右荷重伝達部
４７  右空間部
５０  左荷重吸収部材
１２０  フロント構造体（フレーム構造体）
【図１】
2018174037.tif 000003
【図２】
2018174037.tif 000004
【図３】
2018174037.tif 000005
【図４】
2018174037.tif 000006
【図５】
2018174037.tif 000007
【図６】
2018174037.tif 000008
【図７】
2018174037.tif 000009
【図８】
2018174037.tif 000010
【図９】
2018174037.tif 000011
【図１０】
2018174037.tif 000012
【図１１】
2018174037.tif 000013
【国際調査報告】
2018174037.tif 000014
2018174037.tif 000015
2018174037.tif 000016